(57)【要約】【課題】  通信距離が長く印字も容易なＲＦＩＤタグを作る。【解決手段】  ＲＦＩＤタグは、第１部品と第２部品とが張り合わされて構成されるものであり、  第１部品は、誘電体からなる板状の第１ベースと、その第１ベースの表裏面のうち第１面を覆う金属層とを有し、  第２部品は、シート状の第２ベースと、その第２ベース上に設けられた、上記第１部品の金属層と電気的に接続されて通信アンテナを構成する金属パターンと、その金属パターンに接続された、その通信アンテナを介して無線通信を行う回路チップと、その第２ベースを上記第１ベースの表裏面のうち上記第１面に対する第２面に接着させるための粘着材層とを有し、  上記第１部品の金属層と上記第２部品の金属パターンは導通部品によって電気的に接続される。【選択図】        図２
2006301690.tif 000002
【特許請求の範囲】
【請求項１】
互いに組みあわされてＲＦＩＤタグを構成するための複数の部品からなるＲＦＩＤタグセットであって、
誘電体からなる板状の第１ベースと、該第１ベースの片面に広がる金属層とを有する第１部品、
シート状の第２ベースと、該第２ベース上に設けられた、前記第１部品の金属層と電気的に接続されてループアンテナを構成する金属パターンと、該金属パターンに接続された、該ループアンテナを介して無線通信を行う回路チップと、該第２ベースを前記第１ベースの前記片面に対するもう片面の側に接着させるための粘着材層とを有する第２部品、および
前記第１部品の金属層と前記第２部品の金属パターンとを電気的に接続するための導通部品を備えたことを特徴とするＲＦＩＤタグセット。
【請求項２】
前記粘着材層が、前記金属パターン上を覆って前記第２ベースに付着したものであり、
前記金属層が、前記第１ベースの前記もう片面側に至る端部を有するものであり、
前記導通部品が、前記粘着材層の一部を構成して前記第２部品の金属パターンに付着した、該金属パターンを前記第１ベース上の前記端部に接着させる導電性粘着材であることを特徴とする請求項１記載のＲＦＩＤタグセット。
【請求項３】
前記第２部品が、前記第２ベースの片面に前記金属パターンを有し、該片面に対するもう片面に前記粘着材層を有するものであり、
前記導通部品が、前記第１部品と前記第２部品とに跨って貼り付けられることによって前記第１部品の金属層と前記第２部品の金属パターンとを電気的に接続する導電性粘着テープであることを特徴とする請求項１記載のＲＦＩＤタグセット。
【請求項４】
前記第２部品が、前記第２ベースの片面に前記金属パターンを有し、該片面に対するもう片面に前記粘着材層を有するものであり、
前記金属層が、前記第１ベースからはみ出した耳部を有するものであり、
前記導通部品が、前記耳部に付着した導電性粘着材であって、前記粘着材層によって前記第１部品に接着された第２部品上に該耳部が折り曲げられることによって前記金属パターンに張り付けられるものであることを特徴とする請求項１記載のＲＦＩＤタグセット。
【請求項５】
前記第２部品が、前記第２ベースの片面に前記金属パターンを有し、該片面に対するもう片面に前記粘着材層を有するものであり、
前記導通部品が、前記第２部品を前記第１部品側に抱え込むことによって前記第１部品の金属層と前記第２部品の金属パターンとを電気的に接続する金属クリップであることを特徴とする請求項１記載のＲＦＩＤタグセット。
【請求項６】
誘電体からなる板状の第１ベースと、該第１ベースの片面に広がる金属層とを有する第１部品、
シート状の第２ベースと、該第２ベース上に設けられた、前記第１部品の金属層と電気的に接続されてループアンテナを構成している金属パターンと、該金属パターンに接続された、該ループアンテナを介して無線通信を行う回路チップと、前記第２ベースを前記第１ベースの前記片面に対するもう片面の側に接着させた粘着材層とを有する第２部品、および
前記第１部品の金属層と前記第２部品の金属パターンとを電気的に接続した導通部品を備えたことを特徴とするＲＦＩＤタグ。
【請求項７】
誘電体からなる板状の第１ベースと、該第１ベースの片面に広がる金属層とを有する第１部品に接着されてＲＦＩＤタグを構成するためのＲＦＩＤタグ部品であって、
シート状の第２ベースと、
前記第２ベース上に設けられた、前記第１部品の金属層と電気的に接続されてループアンテナを構成する金属パターンと、
前記金属パターンに接続された、前記ループアンテナを介して無線通信を行う回路チップと、
前記第２ベースを前記第１ベースの前記片面に対するもう片面の側に接着させるための粘着材層とを備えたことを特徴とするＲＦＩＤタグ部品。
【発明の詳細な説明】
【技術分野】
【０００１】
本発明は、非接触で外部機器との間で情報のやり取りを行うＲＦＩＤ（Ｒａｄｉｏ＿Ｆｒｅｑｕｅｎｃｙ＿ＩＤｅｎｔｉｆｉｃａｔｉｏｎ）タグを互いの組みあわせによって構成するための複数の部品からなるＲＦＩＤタグセット、ＲＦＩＤタグセットによって得られるＲＦＩＤタグ、およびＲＦＩＤタグセットに組み込まれるＲＦＩＤタグ部品に関する。なお、本願技術分野における当業者間では、本願明細書で使用する「ＲＦＩＤタグ」のことを、「ＲＦＩＤタグ」用の内部構成部材（インレイ；ｉｎｌａｙ）であるとして「ＲＦＩＤタグ用インレイ」と称する場合もある。あるいは、この「ＲＦＩＤタグ」のことを「無線ＩＣタグ」と称する場合もある。また、この「ＲＦＩＤタグ」には、非接触型ＩＣカードも含まれる。
【背景技術】
【０００２】
近年、リーダライタに代表される外部機器との間で、電波によって非接触で情報のやり取りを行う種々のタイプのＲＦＩＤタグが提案されている。このＲＦＩＤタグの一種として、プラスチックや紙からなるベースシート上に電波通信用のアンテナパターンとＩＣチップが搭載された構成のものが提案されており、このようなタイプのＲＦＩＤタグについては、物品などに貼り付けられ、その物品に関する情報を外部機器とやり取りすることで物品の識別などを行うという利用形態が考えられている。
【０００３】
ここで、ＲＦＩＤタグが貼り付けられる物品としては、スチール製品などというような金属物も考えられるが、このような金属物にＲＦＩＤタグが貼り付けられた場合には、その金属物によってＲＦＩＤタグの通信用電波が阻害されて通信距離の低下などが生じることが予想される。このため、特許文献１には、アンテナパターンが板状の基板に設けられると共にその基板の裏面に金属膜が設けられたＲＦＩＤタグが提案されており、このようなＲＦＩＤタグの構造によって通信距離を延ばす効果が得られる。
【特許文献１】特開２００２−２９８１０６号公報
【発明の開示】
【発明が解決しようとする課題】
【０００４】
しかし、この特許文献１に記載されたＲＦＩＤタグでは、必要な効果を得るためには、板状の基板としてλ／１２以上の厚みのものが必要であり、例えばＵＨＦ帯（９５０Ｈｚ帯）ではλ≒３０ｃｍなので約２．５ｃｍ以上の厚みの基板となってしまう。このため、ＲＦＩＤタグが分厚くなりすぎて、上述したように物品に貼り付けるタグとしての利用形態が困難になるという問題がある。
【０００５】
また、上述したような利用形態に於いては、ＲＦＩＤタグの表面に物品の名称やコードなどといった記述を印字することが予定されており、印字のためのプリンタ等も提案されているが、特許文献１に記載されたような基板を有するＲＦＩＤタグは、そのような基板の存在によって、従来提案されているプリンタによる印字が困難であるという問題もある。
【０００６】
本発明は上記事情に鑑み、通信距離が長く印字も容易なＲＦＩＤタグを作ることができるＲＦＩＤタグセット、そのようなＲＦＩＤタグ、およびそのようなＲＦＩＤタグを作るためのＲＦＩＤタグ部品を提供することを目的とする。
【課題を解決するための手段】
【０００７】
上記目的を達成する本発明のＲＦＩＤタグセットは、
互いに組みあわされてＲＦＩＤタグを構成するための複数の部品からなるＲＦＩＤタグセットであって、
誘電体からなる板状の第１ベースと、その第１ベースの片面に広がる金属層とを有する第１部品、
シート状の第２ベースと、その第２ベース上に設けられた、上記第１部品の金属層と電気的に接続されてループアンテナを構成する金属パターンと、その金属パターンに接続された、そのループアンテナを介して無線通信を行う回路チップと、その第２ベースを上記第１ベースの上記片面に対するもう片面の側に接着させるための粘着材層とを有する第２部品、および
上記第１部品の金属層と上記第２部品の金属パターンとを電気的に接続するための導通部品を備えたことを特徴とする。
【０００８】
本発明のＲＦＩＤタグセットによれば、粘着材層によって第１部品と第２部品とを接着し、導通部品によって上記第１部品の金属層と上記第２部品の金属パターンとを接続することによって容易にＲＦＩＤタグを構成することができる。このように構成されるＲＦＩＤタグは、上記第１部品の金属層と上記第２部品の金属パターンとが接続されてなる通信アンテナを有しているので、このＲＦＩＤタグが金属物に貼り付けられていても長い通信距離が得られると共に、第１ベースや第２ベースとしては十分に薄いものが採用可能である。また、上記第２部品に従来のプリンタ等で印字を行ってから上記第1部品などと組みあわせることで、物品名などが印字されたＲＦＩＤタグを容易に構成することができる。
【０００９】
本発明のＲＦＩＤタグセットは、
「  上記粘着材層が、上記金属パターン上を覆って上記第２ベースに付着したものであり、
上記金属層が、上記第１ベースの上記もう片面側に至る端部を有するものであり、
上記導通部品が、上記粘着材層の一部を構成して上記第２部品の金属パターンに付着した、その金属パターンを上記第１ベース上の上記端部に接着させる導電性粘着材である」
という形態が好適である。
【００１０】
この好適な形態のＲＦＩＤタグセットによれば、上記第１部品と上記第２部品との接着で第１部品の金属層と第２部品の金属パターンが接続されてＲＦＩＤタグが構成されるのでＲＦＩＤタグを容易に作ることができる。
【００１１】
また、本発明のＲＦＩＤタグセットは、
「  上記第２部品が、上記第２ベースの片面にに上記金属パターンを有し、その片面に対するもう片面に上記粘着材層を有するものであり、
上記導通部品が、上記第１部品と上記第２部品とに跨って貼り付けられることによって上記第１部品の金属層と上記第２部品の金属パターンとを電気的に接続する導電性粘着テープである」という形態であってもよく、あるいは、
「  上記第２部品が、上記第２ベースの片面にに上記金属パターンを有し、その片面に対するもう片面に上記粘着材層を有するものであり、
上記金属層が、上記第１ベースからはみ出した耳部を有するものであり、
上記導通部品が、上記耳部に付着した導電性粘着材であって、上記粘着材層によって上記第１部品に接着された第２部品上にその耳部が折り曲げられることによって上記金属パターンに張り付けられるものである」という形態であってもよく、あるいは、
「  上記第２部品が、上記第２ベースの片面にに上記金属パターンを有し、その片面に対するもう片面に上記粘着材層を有するものであり、
上記導通部品が、上記第２部品を上記第１部品側に抱え込むことによって上記第１部品の金属層と上記第２部品の金属パターンとを電気的に接続する金属クリップである」という形態であってもよい。
【００１２】
これらの形態のＲＦＩＤタグセットによれば、上記第１部品および上記第２部品の接着と、導電性粘着テープや耳部や金属クリップによる電気的接続との２段階の手順で容易にＲＦＩＤタグを作ることができる。
【００１３】
上記目的を達成する本発明のＲＦＩＤタグは、
誘電体からなる板状の第１ベースと、該第１ベースの片面に広がる金属層とを有する第１部品、
シート状の第２ベースと、その第２ベース上に設けられた、上記第１部品の金属層と電気的に接続されてループアンテナを構成している金属パターンと、その金属パターンに接続された、そのループアンテナを介して無線通信を行う回路チップと、上記第２ベースを上記第１ベースの上記片面に対するもう片面の側に接着させた粘着材層とを有する第２部品、および
上記第１部品の金属層と上記第２部品の金属パターンとを電気的に接続した導通部品を備えたことを特徴とする。
【００１４】
また、上記目的を達成する本発明のＲＦＩＤタグ部品は、
誘電体からなる板状の第１ベースと、その第１ベースの片面に広がる金属層とを有する第１部品に接着されてＲＦＩＤタグを構成するためのＲＦＩＤタグ部品であって、
シート状の第２ベースと、
上記第２ベース上に設けられた、上記第１部品の金属層と電気的に接続されてループアンテナを構成する金属パターンと、
上記金属パターンに接続された、上記ループアンテナを介して無線通信を行う回路チップと、
上記第２ベースを上記第１ベースの上記片面に対するもう片面の側に接着させるための粘着材層とを備えたことを特徴とする。
【００１５】
なお、本発明にいうＲＦＩＤタグおよびＲＦＩＤタグ部品については、ここではその基本形態のみを示すのにとどめるが、これは単に重複を避けるためであり、本発明にいうＲＦＩＤタグおよびＲＦＩＤタグ部品には、上記の基本形態のみではなく、前述したＲＦＩＤタグセットの各形態に対応する各種の形態が含まれる。
【発明の効果】
【００１６】
以上説明したように、本発明によれば、通信距離が長く印字も容易なＲＦＩＤタグを作ることができる。
【発明を実施するための最良の形態】
【００１７】
以下図面を参照して本発明の実施の形態を説明する。
【００１８】
図１は、本発明のＲＦＩＤタグセットの第１実施形態の基本構成を示す斜視図である。
【００１９】
このＲＦＩＤタグセット１０は、図１のパート（Ｂ）に示す第１部品１００と図１のパート（Ａ）に示す第２部品２００とで構成されており、第１部品１００は、ベースボード１０１にグランドパターン１０２が設けられた基本構造を有する。また第２部品２００は、ベースシート２０１にアンテナパターン２０２とＩＣチップ２０３が設けられた基本構造を有する。このＲＦＩＤタグセット１０は、後述するＲＦＩＤタグを作るためのセットであり、第１部品１００が「下」で第２部品２００が「上」になるように張り合わされることでＲＦＩＤタグが得られる。以下、本明細書中では、第２部品側を「上」と称し、第１部品側を「下」と称する。
【００２０】
図２は、本発明のＲＦＩＤタグセットの第１実施形態の詳細構造を表す図であり、この図の左右方向は図１の左右方向に対応している。
【００２１】
ＲＦＩＤタグセット１０を構成する、図のパート（Ｂ）に示す第１部品１００は、本発明にいう第１部品の一例に相当し、誘電体からなる厚さ１ｍｍ程度の薄いベースボード１０１と、ベースボード１０１の下面を覆うと共に端部が上面側に達する、Ｃｕ薄膜からなるグランドパターン１０２と、グランドパターン１０２を覆うＰＥＴフィルム１０３と、ＰＥＴフィルム１０３の下面に塗布された絶縁性の粘着材１０４とで構成されている。この第１部品１００は粘着材１０４で台紙１０５に、剥離可能な状態で張り付いている。ここで、ベースボード１０１は、本発明にいう第１ベースの一例に相当し、グランドパターン１０２は、本発明にいう金属層の一例に相当する。
【００２２】
一方、ＲＦＩＤタグセット１０を構成する、図のパート（Ａ）に示す第２部品２００は、本発明にいう第２部品の一例に相当するとともに、本発明のＲＦＩＤタグ部品の一実施形態にも相当しており、ＰＥＴ材からなるベースシート２０１の下面にＣｕ薄膜からなるアンテナパターン２０２が設けられ、そのアンテナパターン２０２にＩＣチップ２０３が乗せられて電気的に接続されている。ベースシート２０１は、本発明にいう第２ベースの一例に相当し、アンテナパターン２０２は本発明にいう金属パターンの一例に相当し、ＩＣチップ２０３は、本発明にいう回路チップの一例に相当する。
【００２３】
ベースシート２０１の下面には、アンテナパターン２０２を覆うように絶縁性の粘着材２０４が塗布されており、アンテナパターン２０２の両端部分には導電性の粘着材２０５が塗布されている。これらの粘着材２０４，２０５によって本発明にいう粘着材層の一例が構成されており、さらに導電性の粘着材２０５は、本発明にいう導通部品の一例にも相当する。第２部品２００はこれらの粘着材２０４，２０５で台紙２０６に、剥離可能な状態で張り付いている。台紙２０６は大きな面積を有し、この台紙２０６には多数の第２部品２００が張り付いている。
【００２４】
また、ベースシート２０１の上面は印字紙２０７で覆われており、第２部品２００が張り付いた台紙２０６がプリンタに装填されることにより、この印字紙２０７上に種々の記述が印字される。
【００２５】
第２部品２００の印字紙２０７に印字が行われた後、第２部品２００が台紙２０６から剥がされて第１部品１００上に貼り付けられることで、本発明のＲＦＩＤタグの第１実施形態が得られる。
【００２６】
図３は、本発明のＲＦＩＤタグの第１実施形態を表す図である。
【００２７】
上述したように、この第１実施形態のＲＦＩＤタグ２０は、図２に示す第１実施形態のＲＦＩＤタグセット１０によって構成されるものであり、第１部品１００と第２部品２００とが絶縁性の粘着材２０４によって張り合わされている。また、導電性の粘着材２０５は、第２部品２００のアンテナパターン２０２と第１部品１００のグランドパターン１０２とを接続しており、この結果、ループアンテナが構成されている。ＩＣチップ２０３はこのループアンテナを介して外部機器との通信を行う。
【００２８】
このようなＲＦＩＤタグ２０は、台紙１０５から剥がされて物品上に貼り付けられることで、その物品の識別などを行うためのタグとして機能する。また、その物品が金属物であっても、上述したループアンテナによって高い利得が得られ、ベースボード１０１が厚さ１ｍｍ程度という薄いものであっても十分に長い通信距離が得られる。
【００２９】
以下、本発明の他の実施形態について説明する。
【００３０】
図４は、本発明のＲＦＩＤタグセットの第２実施形態を表す図である。
【００３１】
この図４に示すＲＦＩＤタグセット１１は、第１実施形態の第２部品とは異なる、図のパート（Ｂ）に示す第２部品２１０と、第１実施形態の第１部品と同等な、図のパート（Ａ）に示す第１部品１００とを備えている。この第２部品２１０も、本発明にいう第２部品の一例に相当するとともに、本発明のＲＦＩＤタグ部品の一実施形態にも相当している。
【００３２】
また、このＲＦＩＤタグセット１１は、本発明にいう導通部品の一例に相当する導電性粘着テープも備えているが、この図４では図示を省略している。また、このＲＦＩＤタグセット１１の各部品における基本構造は、図１に示す基本構造とほぼ同様であり、基本構造についての図示も省略する。
【００３３】
以下、第１部品１００についての重複説明は省略し、第２部品２１０の詳細構造について説明する。
【００３４】
この第２部品２１０では、ＰＥＴ材からなるベースシート２１１の上面にＣｕ薄膜からなるアンテナパターン２１２が設けられており、そのアンテナパターン２１２にＩＣチップ２１３が乗せられて電気的に接続されている。ベースシート２１１は、本発明にいう第２ベースの一例に相当し、アンテナパターン２１２は本発明にいう金属パターンの一例に相当し、ＩＣチップ２１３は、本発明にいう回路チップの一例に相当する。
【００３５】
ベースシート２０１の下面には、絶縁性の粘着材２１４が塗布されており、本発明にいう粘着材層の一例が構成されている。第２部品２１０は、第１実施形態と同様に、粘着材２１４で台紙２１５に、剥離可能な状態で張り付いている。
【００３６】
また、ベースシート２０１の上面は、アンテナパターン２１２やＩＣチップ２１３を保護するＰＥＴフィルム２１６で覆われているが、アンテナパターン２１２の両端はそのＰＥＴフィルム２１６の外に出ている。さらに、ＰＥＴフィルム２１６の上面は印字紙２１７で覆われており、第１実施形態と同様に、プリンタによってこの印字紙２１７に種々の記述が印字される。
【００３７】
この第２部品２１０の印字紙２１７に印字が行われた後、第２部品２１０が台紙２１５から剥がされて第１部品１００上に貼り付けられる。そして、それら第１部品１００および第２部品２１０上に導電性粘着テープが貼り付けられることで、本発明のＲＦＩＤタグの第２実施形態が得られる。
【００３８】
図５は、本発明のＲＦＩＤタグの第２実施形態を表す図である。
【００３９】
この第２実施形態のＲＦＩＤタグ２１は、図４に示す第２実施形態のＲＦＩＤタグセット１１によって構成されるものであり、第１部品１００と第２部品２１０とが粘着材２１４によって張り合わされているとともに、第１部品１００と第２部品２１０とに跨って導電性粘着テープ３００が貼り付けられている。導電性粘着テープ３００は、帯状のテープベース３０１に導電性の粘着材３０２が塗布されたものであり、この導電性粘着テープ３００によって第２部品２１０のアンテナパターン２１２と第１部品１００のグランドパターン１０２とが接続されて、この結果、第１実施形態と同様な高利得のループアンテナが構成されている。
【００４０】
図６は、本発明のＲＦＩＤタグセットの第３実施形態を表す図である。
【００４１】
この図６に示すＲＦＩＤタグセット１２は、第１実施形態および第２実施形態の第１部品とは異なる、図のパート（Ｂ）に示す第１部品１１０と、第２実施形態の第２部品と同等な、図のパート（Ａ）に示す第２部品２１０とを備えている。この第１部品１１０も、本発明にいう第１部品の一例に相当する。また、このＲＦＩＤタグセット１２の各部品における基本構造も、図１に示す基本構造とほぼ同様であり、基本構造についての図示は省略する。
【００４２】
以下、第２部品２１０についての重複説明は省略し、第１部品１１０の詳細構造について説明する。
【００４３】
この第１部品１１０は、誘電体からなる厚さ１ｍｍ程度の薄いベースボード１１１と、ベースボード１１１の下面を覆うＣｕ薄膜からなるグランドパターン１１２と、グランドパターン１１２の下面を覆ってグランドパターン１１２を補強するＰＥＴフィルム１１３と、ＰＥＴフィルム１１３の下面に塗布された絶縁性の粘着材１１４とを備えており、この第１部品１１０も粘着材１１４で台紙１１５に、剥離可能な状態で張り付いている。ここで、ベースボード１１１は、本発明にいう第１ベースの一例に相当し、グランドパターン１１２は、本発明にいう金属層の一例に相当する。
【００４４】
この第１部品１１０のグランドパターン１１２は、ベースボード１１１からはみ出した耳部１１２ａを有しており、この耳部１１２ａの上面には導電性の粘着材１１６が塗布されている。この導電性の粘着材１１６は、本発明にいう導通部品の一例に相当する。
【００４５】
この第１部品１１０の上に第２部品２１０が貼り付けられた後、第２部品２１０を巻き込むように耳部１１２ａが上に折り曲げられることによって、本発明のＲＦＩＤタグの第３実施形態が得られる。
【００４６】
図７は、本発明のＲＦＩＤタグの第３実施形態を表す図である。
【００４７】
この第３実施形態のＲＦＩＤタグ２２は、図６に示す第３実施形態のＲＦＩＤタグセット１２によって構成されるものであり、第１部品１１０と第２部品２１０とが粘着材２１４によって張り合わされている。また、導電性の粘着材１１６によって第２部品２１０のアンテナパターン２１２と第１部品１１０のグランドパターン１１２とが接続されて、この結果、第１実施形態と同様な高利得のループアンテナが構成されている。
【００４８】
図８は、本発明のＲＦＩＤタグセットの第４実施形態を表す図である。
【００４９】
この図８に示すＲＦＩＤタグセット１３は、第１実施形態〜第３実施形態の第１部品とは異なる、図のパート（Ｂ）に示す第１部品１２０と、第２実施形態の第２部品と同等な、図のパート（Ａ）に示す第２部品２１０とを備えている。この第１部品１２０も、本発明にいう第１部品の一例に相当する。また、このＲＦＩＤタグセット１３の各部品における基本構造も、図１に示す基本構造とほぼ同様であり、基本構造についての図示は省略する。
【００５０】
以下、第２部品２１０についての重複説明は省略し、第１部品１２０の詳細構造について説明する。
【００５１】
この第１部品１２０は、誘電体からなる厚さ１ｍｍ程度の薄いベースボード１２１と、ベースボード１２１の下面を覆うＣｕ薄膜からなるグランドパターン１２２と、グランドパターン１２２の下面に塗布された絶縁性の粘着材１２４とを備えており、この第１部品１２０も粘着材１２４で台紙１２５に、剥離可能な状態で張り付いている。ここで、ベースボード１２１は、本発明にいう第１ベースの一例に相当し、グランドパターン１２２は、本発明にいう金属層の一例に相当する。
【００５２】
この第１部品１２０のグランドパターン１２２は、金属クリップ１２３に繋がっており、この金属クリップ１２３は、本発明にいう導通部品の一例に相当する。
【００５３】
この第１部品１２０の上に第２部品２１０が貼り付けられた後、第２部品２１０を巻き込むように金属クリップ１２３が上に折り曲げられることによって、本発明のＲＦＩＤタグの第４実施形態が得られる。
【００５４】
図９は、本発明のＲＦＩＤタグの第４実施形態を表す図である。
【００５５】
この第４実施形態のＲＦＩＤタグ２２は、図８に示す第４実施形態のＲＦＩＤタグセット１３によって構成されるものであり、第１部品１２０と第２部品２１０とが粘着材２１４によって張り合わされている。また、金属クリップ１２３によって第２部品２１０のアンテナパターン２１２と第１部品１２０のグランドパターン１２２とが接続されて、この結果、第１実施形態と同様な高利得のループアンテナが構成されている。
【００５６】
なお、上記説明では、本発明にいう金属層の一例として、ベースボードの下面を覆うグランドパターンが示されているが、本発明にいう金属層は、第１ベースの全面を覆う必要はなく、十分な面積に広がったものであればよい。
【図面の簡単な説明】
【００５７】
【図１】本発明のＲＦＩＤタグセットの第１実施形態の基本構成を示す斜視図である。
【図２】本発明のＲＦＩＤタグセットの第１実施形態の詳細構造を表す図である。
【図３】本発明のＲＦＩＤタグの第１実施形態を表す図である。
【図４】本発明のＲＦＩＤタグセットの第２実施形態を表す図である。
【図５】本発明のＲＦＩＤタグの第２実施形態を表す図である。
【図６】本発明のＲＦＩＤタグセットの第３実施形態を表す図である。
【図７】本発明のＲＦＩＤタグの第３実施形態を表す図である。
【図８】本発明のＲＦＩＤタグセットの第４実施形態を表す図である。
【図９】本発明のＲＦＩＤタグの第４実施形態を表す図本発明のＲＦＩＤタグの第４実施形態を表す図。
【符号の説明】
【００５８】
１０，１１，１２，１３    ＲＦＩＤタグセット
２０，２１，２２，２３    ＲＦＩＤタグ
１００，１１０，１２０    第１部品
１０１，１１１，１２１    ベースシート
１０２，１１２，１２２    アンテナパターン
１１２ａ    耳部
１０３，１１３    ＰＥＴフィルム
１２３    金属クリップ
１０４，１１４，１２４    絶縁性の粘着材
１０５，１１５，１２５    台紙
１１６    導電性の粘着材
２００，２１０    第２部品（ＲＦＩＤタグ部品）
２０１，２１１    ベースシート
２０２，２１２    アンテナパターン
２０３，２１３    ＩＣチップ
２０４，２１４    絶縁性の粘着材
２０５，２１５    台紙
２０６，２１６    ＰＥＴフィルム
２０７，２１７    印字紙
３００    導電性粘着テープ
３０１    テープベース
３０２    導電性の粘着材
【図１】
2006301690.tif 000003
【図２】
2006301690.tif 000004
【図３】
2006301690.tif 000005
【図４】
2006301690.tif 000006
【図５】
2006301690.tif 000007
【図６】
2006301690.tif 000008
【図７】
2006301690.tif 000009
【図８】
2006301690.tif 000010
【図９】
2006301690.tif 000011